(57)【要約】      （修正有）【課題】粉塵で中が見えなくなるような事態をがなく、かつ作業箱の位置が動かないサンドブラスタを提供する。【解決手段】墓誌又は墓石の裏面に吊り下げられるバランスウェイトが紐１６で連設されており、箱壁に所定の孔と透視窓が形成されて墓誌又は墓石の表面に取り付けられる作業箱１と、箱壁の側面に設けられた吸引口にフレキシブルホース１９を介して接続され、作業箱に供給されるサンドブラスト混じりの圧送風の量よりも大きな量の吸引風を発生させるエンジンブロア２とからなる。【選択図】図６
2009142966.tif 000002
【特許請求の範囲】
【請求項１】
墓誌又は墓石の裏面に吊り下げられるバランスウェイトが紐で連設されており、箱壁に所定の孔と透視窓が形成されて墓誌又は墓石の表面に取り付けられる作業箱と、箱壁の側面に設けられた吸引口にフレキシブルホースを介して接続され、作業箱に供給されるサンドブラスト混じりの圧送風の量よりも大きな量の吸引風を発生させるエンジンブロアとからなることを特徴とするサンドブラスタ。
【請求項２】
吸引口が箱壁に形成された出窓の上部に下に隙間を残して形成される請求項１のサンドブラスタ。
【請求項３】
箱壁上面の左右二箇所に裏面に突出するまで進出可能なストッパが形成された請求項１又は２のサンドブラスタ。
【請求項４】
透視窓が箱壁の前面及び前面と側面の角に形成される請求項１〜３いずれかのサンドブラスタ。
【発明の詳細な説明】
【技術分野】
【０００１】
本発明は、野外に設けられる墓誌や墓石に文字を刻むサンドブラスタに関するものである。
【背景技術】
【０００２】
墓誌や墓石に文字を刻むには現地で行うことが多い。特に、墓誌については、既に墓所に施工されている石板に文字を付け足すことから、ほとんどの場合、現地で行われる。この文字彫り作業には種々の道具があるが、あまり大掛かりにならず、しかも綺麗な文字が彫れることから、下記特許文献１の従来技術で述べられているようにサンドブラスタによることが多い。具体的には、作業箱を墓誌・墓石に取り付け、この作業箱の中でサンドブラスト混じりの圧送風を墓誌に吹き付けて文字を刻んでいた。
【０００３】
ところが、削られた削粉は大量の粉塵となって作業箱の中に充満し、その量は墓誌・墓石の表面が見えなくなる位である。このため、排塵ファンが備えられているが、十分には役に立たず、中が見通せるようになるまでしばらく待たなければならないといったことがある。さらに、粉塵は作業箱の外にも吹き出し、作業者はこれをまともに浴びる。このため、レインコートのような防御服が必要になる位であり、その都度の装着が煩雑であるし、夏場には暑くて作業が無理である。
【０００４】
この他、粉塵による作業環境の悪化も予想される。なお、排塵器に代えてサイクロン、集塵器及び発電機を必要とする排塵装置が使用されることもあるが、これによると、価格が高くなるとともに、重量が重くなって現地までの運搬に難渋する。加えて、作業箱の固定も難しく、作業中に動いたりして文字が崩れたりすることもあった。
【特許文献１】特開２００５−２７３２４８号公報
【発明の開示】
【発明が解決しようとする課題】
【０００５】
本発明は、以上の課題を解決するものであり、粉塵が溜まらず、墓誌・墓石への固定も十分な作業箱を有するサンドブラスタを具現したものである。
【課題を解決するための手段】
【０００６】
以上の課題の下、本発明は、請求項１に記載した、墓誌又は墓石の裏面に吊り下げられるバランスウェイトが紐で連設されており、箱壁に所定の孔と透視窓が形成されて墓誌又は墓石の表面に取り付けられる作業箱と、箱壁の側面に設けられた吸引口にフレキシブルホースを介して接続され、作業箱に供給されるサンドブラスト混じりの圧送風の量よりも大きな量の吸引風を発生させるエンジンブロアとからなることを特徴とするサンドブラスタを提供したものである。
【０００７】
また、本発明は、以上の作業箱において、請求項２に記載した、吸引口が箱壁に形成された出窓の上部に下に隙間を残して形成される手段、請求項３に記載した、箱壁上面の左右二箇所に裏面に突出するまで進出可能なストッパが形成された手段、請求項４に記載した、透視窓が箱壁の前面及び前面と側面の角に形成される手段を提供する。
【発明の効果】
【０００８】
請求項１の手段によると、作業箱に供給されるサンドブラストの圧送風量よりも大きな量の吸引風を発生させる容量の大きなエンジンブロアを装備したので、作業箱の内部には粉塵は溜まらず、しかも、外への吹出しもない。したがって、防御服のようなものは必要ないし、作業環境の悪化もない。また、バランスウェイトによって墓誌・墓石への作業箱の固定もより強固になり、正確な文字彫りが可能になる。
【０００９】
請求項２の手段によれば、比重の重いブラスト材は吸引口の下に堆積するから、無駄に吸引されて廃棄されることはない（リサイクルが可能）。請求項３の手段によると、墓誌・墓石の端の方に文字を彫るときにも作業箱の固定は確実になる。請求項４の手段によると、前面が狭い場合には前方の角の透視窓によればよい。
【発明を実施するための最良の形態】
【００１０】
以下、本発明の実施の形態を図面を参照して説明する。本発明のサンドブラスタは、作業箱１とエンジンブロア２とからなる。図１はサンドブラスタの作業箱１の斜視図であるが、作業箱１は要するに四角形の箱であり、箱壁の前面には、作業をするために腕を挿入するための挿入孔３が放射状に割れたゴム板４で覆われて設けられており、背面には、サンドブラストを混ぜた圧送風を墓誌等に吹き付ける作業孔５が周囲にトリムシール６が取り付けられて設けられているものである。
【００１１】
この場合、下面は開放されており、ここに投射されたサンドブラストを回収する回収袋７が取り付けられている。なお、ブラスト材であるサンドブラストは、砂、ビーズ、樹脂、金属といったもので構成されている。側面の一方には、出窓８が形成されており、出窓８の上部に下部に隙間を残した状態で吸引口（筒）９が形成されている。また、側面の他方には、空気の流入を許容する金網付きの流入口１０が設けられている。サンドブラスト混じりの圧送風をその供給量以上で吸引するには、作業箱１の中に風が入ってこなければならないからである。
【００１２】
さらに、上面には、吊り下げるための把手１１が設けられており、その両側には、後方に向けて突出可能な二つのストッパ１２も設けられている。この他、作業の状態を視認できるように箱壁の前面の挿入孔３の上部には透明板等で閉蓋できる透視窓１３が設けられている。なお、前面と側面の角にも同じく斜めに向いた透視窓１４が設けられている。前面の透視窓１３から覗けないようなときに覗くためである。
【００１３】
作業箱１にはバランスウェイト１５も取り付けられる。具体的には、作業箱１の重量に匹敵した錘を使用し、これを紐１６等で把手１１等に括り付けておく。なお、バランスウェイト１５の使用方法については後述する。図２はエンジンブロア２の斜視図であるが、要するにエンジンと強力な吸引器とが一体になったものであり（１７はスタンド）、その吸入口１８と作業箱１の吸引口９との間にフレキシブルホース１９が接続されている。また、吐出口２０には研削屑を回収するダストバッグ２１も接続されている。
【００１４】
以上のサンドブラスタによって墓誌２２に文字を刻む場合について説明すると、図３（は作業箱１を墓誌２２に取り付ける状態を示す側面図（（ｂ）〜（ｃ）については（ａ）と同じ部材の符号は省略している）、図４は正面図であるが、まず、紐１６を墓誌２２の上面に渡して前面に作業箱１、背面にバランスウェイト１５を振り分け的に吊るす。このとき、裏面の作業孔５がトリムシール６で十分にシールされた状態で墓誌２２の表面に沿うようにする。そして、高さを調整した後にバンド２３等で作業箱１を墓誌１に括り着ける。バランスウェイト１５を用いるのは、このときの調整を容易にするためと、作業箱１がその重量でずり落ちないようにするためである。なお、墓誌２２の表面の文字を刻む個所には、文字の部分が切り開かれて他はマスキングされた文字テンプレート（図示省略）を貼り付けておく。
【００１５】
ところで、墓誌２２によっては、彫り込む文字が端に寄っていて作業箱１をその端部側に取り付ける必要があることがある。このような場合、バンド２３で緊く締めてしまうと、作業箱１は中に寄って位置がずれてしまう。このような場合には、上記したストッパ１２を墓誌２２の側面に沿って背面側に突出させる。こうすると、バンド２３で強く締めてもその位置が動かない（図４の平面図がこの状態である）。
【００１６】
以上の作業が終了すると、作業箱１とエンジンブロア２をフレキシブルホース１９で接続し、エンジンブロア２のスイッチを入れる。一方、作業箱１の近辺には、サンドブラストを溜めるタンク２４があり、このタンク２４にはコンプレッサ（図示省略）で高圧空気が送られるようになっている。さらに、タンク２４からはサンドブラストの供給ホース２５が延出しているから、その先端のノズル（図示省略）を挿入孔３から挿入する。図５はこの文字彫りの作業状態を示す説明図であるが、作業者は、透視窓１３等から覗き見ながらノズルから噴出するサンドブラスト混じりの圧送風を文字テンプレートに吹き付けて文字を彫る。
【００１７】
このとき、作業箱１の中には、墓誌２３の表面から出た研削屑が粉塵となって大量に発生するが、エンジンブロア２はサンドブラストの圧送風よりも大きな風量で吸引するから、作業箱１の中に粉塵は溜まらない。したがって、視野は確保され、作業を中断する必要もないし（作業能率が良い）、粉塵を浴びこともないから、防御服の着用も必要ない。なお、エンジンブロア２で吸引する研削屑の吸引口９が出窓８の上部に下部に隙間を残して形成されていることも重要な意味を持つ。吸引するのは研削屑だけであり、サンドブラストは吸引されてはならないが、こうすると、下部の隙間の部分に比重の重いサンドブラストが溜まり、吸引されない。
【００１８】
エンジンブロア２を用いる利点はこの他にもある。一般に、強力な吸引力を発揮させ、かつ、塵の廃棄が容易なものとしては、サイクロン形式の集塵器があるが、このようなものは重量が重くなり、現地への運搬に難渋する。しかし、エンジンブロア２はそれほど重くはならず（作業箱１を含めて９Ｋｇ程度）、運搬が容易である。なお、エンジンブロア２の上流側にサイクロンを設けてもよく、こうすると廃塵が容易になる利点がある。さらに、サンドブラスタは、墓誌や墓石の文字彫り用に限らず、何であってもよい。要するに、作業箱１を用いてサンドブラスト作業をするものであれば何でもよい。
【図面の簡単な説明】
【００１９】
【図１】作業箱の斜視図である。
【図２】エンジンブロアの斜視図である。
【図３】作業箱の取付けを示す側面図である。
【図４】作業箱の取付けを示す正面図である。
【図５】ストッパを使用する作業箱の平面図である。
【図６】作業の状態を示す説明図である。
【符号の説明】
【００２０】
１    作業箱
２    エンジンブロア
３    挿入孔
４    ゴム板
５    作業孔
６    トリムシール
７    回収袋
８    出窓
９    吸引口
１０  金網
１１  把手
１２  ストッパ
１３  透視窓
１４  透視窓
１５  バランスウェイト
１６  紐
１７  スタンド
１８  吸入口
１９  フレキシブルホース
２０  吐出口
２１  ダストバッグ
２２  墓誌
２３  バンド
２４  タンク
２５  供給ホース
【図１】
2009142966.tif 000003
【図２】
2009142966.tif 000004
【図３】
2009142966.tif 000005
【図４】
2009142966.tif 000006
【図５】
2009142966.tif 000007
【図６】
2009142966.tif 000008